(57)【特許請求の範囲】
【請求項１】
左右一対の縦枠を有するシャッター枠と、該シャッター枠の両縦枠間で昇降自在に支持されるシャッターカーテンと、該シャッターカーテンに設けられる錠と、前記縦枠に設けられて前記錠を係止させる錠受けとを備えたシャッター装置であって、
前記錠受けは、前記縦枠に上下方向に移動可能に設けられ、
前記錠受け及び前記シャッターカーテンは、上下方向から互いに当接する当接部を有し、
該当接部を互いに当接させた状態で、前記錠受けを前記縦枠に固定する固定手段が設けられていることを特徴とするシャッター装置。
【請求項２】
前記縦枠には前記シャッターカーテンの幅方向の両縁部を支持するガイドレールが設けられ、該ガイドレール内に前記錠受けが上下方向に移動可能に設けられ、前記ガイドレールには上下方向に長い長孔が設けられ、該長孔に対応する前記錠受けの部分にはねじ孔が設けられ、前記長孔を挿通させた固定手段であるねじを前記ねじ孔に螺合させて締め付けることにより、前記錠受けが前記ガイドレールに固定されることを特徴とする請求項１に記載のシャッター装置。
【請求項３】
前記ガイドレールの長孔が設けられる面は、前記錠受けのねじ孔が設けられる面によって閉塞されていることを特徴とする請求項２に記載のシャッター装置。
【請求項４】
前記ガイドレールは、屋外側に配置される表板と屋内側に配置される裏板とを有し、当該表板と裏板との間にシャッターカーテンの幅方向の縁部が挿入可能とされると共に前記錠受けが上下方向に移動可能に設けられており、前記裏板に前記長孔が設けられ、該長孔内に屋内側から前記ねじが挿通されて前記錠受けのねじ孔に螺合され、かつ該ねじの頭部が前記裏板の屋内側面よりも屋内側に表出していることを特徴とする請求項２又は３に記載のシャッター装置。
【発明の詳細な説明】
【技術分野】
【０００１】
本発明は、特に、土間用のシャッター装置として有効なシャッター装置に関する。
【背景技術】
【０００２】
建物の開口部に設置されて、開口部を開閉するシャッター装置には種々のタイプのものあり、例えば、特許文献１には、左右一対の縦枠と、両縦枠の上下端間に架設される上枠及び下枠からなるシャッター枠と、シャッター枠の上枠の上部に設けられるシャッターボックスと、シャッター枠の両縦枠に沿って昇降自在に設けられるシャッターカーテンと、両縦枠に設けられてシャッターを昇降自在に支持する一対のガイドレールと、シャッターカーテン側に設けられる錠と、ガイドレール側に設けられて錠を係止させる錠受けとを備えたシャッター装置が記載されている。
【特許文献１】特開２００３−１４８０７０号公報
【発明の開示】
【発明が解決しようとする課題】
【０００３】
ところで、上記のような構成のシャッター装置にあっては、錠と錠受けとによるシャッターカーテンの旋錠位置が所定の位置に設定されており、その位置を変更することができないため、土間用に設けられる場合には、ガイドレールの下端部を土間に埋設したり、土間面のレベルに合わせてガイドレールの下端部を現場で切断することが必要になる。この場合、錠受けを、土間面のレベルや下端切断仕口部に合わせて位置決めし、取り付けなければならないため、取付け作業が煩雑になる。
更に、土間面の上面が水平な面となっていない場合、例えば、ガイドレール側に位置する土間面よりも、その他の位置（ガイドレール間中央付近等）の土間面が隆起している場合では、シャッターカーテン下端の左右の両縁部が、前記ガイドレール側に位置する土間面やガイドレール下端切断仕口部の下端よりも高い位置となる。
従って、そのような場合では、錠受けをガイドレール側の土間面のレベルや下端切断仕口部に合わせて位置決めしても意味がなく、シャッターカーテン下端の高さ位置に合わせて位置決めする必要が出てくるので、その取付け作業がより煩雑になる。
【０００４】
本発明は、上記のような従来の問題に鑑みなされたものであって、土間用として使用した場合に、錠受けを所定の位置に容易に位置決めし、取り付けることができるシャッター装置を提供することを目的とする。
【課題を解決するための手段】
【０００５】
本発明は、上記のような課題を解決するために、以下のような手段を採用している。
すなわち、請求項１に係る発明は、左右一対の縦枠を有するシャッター枠と、該シャッター枠の両縦枠間で昇降自在に支持されるシャッターカーテンと、該シャッターカーテンに設けられる錠と、前記縦枠に設けられて前記錠を係止させる錠受けとを備えたシャッター装置であって、前記錠受けは、前記縦枠に上下方向に移動可能に設けられ、前記錠受け及び前記シャッターカーテンは、上下方向から互いに当接する当接部を有し、該当接部を互いに当接させた状態で、前記錠受けを前記縦枠に固定する固定手段が設けられていることを特徴とする。
【０００６】
請求項２に係る発明は、請求項１に記載のシャッター装置であって、前記縦枠には前記シャッターカーテンの幅方向の両縁部を支持するガイドレールが設けられ、該ガイドレール内に前記錠受けが上下方向に移動可能に設けられ、前記ガイドレールには上下方向に長い長孔が設けられ、該長孔に対応する前記錠受けの部分にはねじ孔が設けられ、前記長孔を挿通させた固定手段であるねじを前記ねじ孔に螺合させて締め付けることにより、前記錠受けが前記ガイドレールに固定されることを特徴とする。
【０００７】
請求項３に係る発明は、請求項２に記載のシャッター装置であって、前記ガイドレールの長孔が設けられる面は、前記錠受けのねじ孔が設けられる面によって閉塞されていることを特徴とする。
【０００８】
請求項４に係る発明は、請求項２又は３に記載のシャッター装置であって、前記ガイドレールは、屋外側に配置される表板と屋内側に配置される裏板とを有し、当該表板と裏板との間にシャッターカーテンの幅方向の縁部が挿入可能とされると共に前記錠受けが上下方向に移動可能に設けられており、前記裏板に前記長孔が設けられ、該長孔内に屋内側から前記ねじが挿通されて前記錠受けのねじ孔に螺合され、かつ該ねじの頭部が前記裏板の屋内側面よりも屋内側に表出していることを特徴とする。
【発明の効果】
【０００９】
以上、説明したように、本発明の請求項１に記載のシャッター装置によれば、錠受けの当接部とシャッターカーテンの当接部とを上下方向から互いに当接させ、この状態で固定手段により錠受けを縦枠に固定することにより、錠受けを所定の位置に位置決めすることができる。
従って、簡単な作業でシャッター装置を設置する建物の開口部下面のレベルに合わせて錠受けを上下方向の所定の位置に位置決めし、その位置で縦枠側に固定することができる。
【００１０】
また、請求項２に記載のシャッター装置によれば、錠受けの当接部とシャッターカーテンの当接部とを上下方向から互いに当接させ、この状態でガイドレールの長孔内に挿通させたねじを錠受けのねじ孔に螺合させて締め付けることにより、錠受けを所定の位置に位置決めし、固定することができる。従って、シャッター装置を土間に設ける場合に、土間面のレベルに合わせて錠受けを所定の位置に容易に位置決めし、ガイドレール側に固定することができる。また、ガイドレールの長孔の長さの範囲内で錠受けの上下方向の位置を調整することができるので、シャッター装置を設置する建物の開口部下面のレベルのばらつきを長孔の長さの範囲内で吸収することができる。
【００１１】
さらに、請求項３に記載のシャッター装置によれば、ガイドレールの長孔が設けられる面は錠受けのねじ孔が設けられる面によって閉塞されることになるので、光漏れを防ぐ等、見栄えをよくすることができる。
【００１２】
さらに、請求項４に記載のシャッター装置によれば、屋内側に配置されるガイドレールの裏板の長孔内に屋内側からねじを挿通させ、そのねじをガイドレールの表板と裏板との間に設けられている錠受けのねじ孔に螺合させて締め付けることにより、ガイドレールに錠受けを固定することができる。
従って、錠受け、および錠受けをガイドレールに固定するねじが屋外側に露出することがないので、見栄えをよくすることができる。
また、ねじを予めガイドレールの裏板の長孔を挿通させて錠受けのねじ孔に軽く螺合させておくことにより、ねじの頭部を手やドライバ等の工具で操作することにより、容易に錠受けを上下方向へ移動させることができるので、錠受けの上下方向の位置の調整が容易となる。
また、縦枠等を分解しなくても、錠受けの位置調整等が可能であり、調整作業や固定作業が容易となる。
【発明を実施するための最良の形態】
【００１３】
以下、図面に示す本発明の実施の形態について説明する。
図１〜図９には、本発明によるシャッター装置の一実施の形態が示されていて、図１はシャッター装置の縦断面図、図２はシャッターカーテンの全閉状態を示す要部拡大正面図、図３は図２の錠受けの側面図、図４は図３の正面図、図５は図３の底面図、図６は図１のシャッター装置の下端部の部分拡大図、図７はシャッターカーテンの旋錠状態を示す要部拡大正面図、図８はシャッターカーテンの旋錠状態を示す要部拡大横断面図、図９は図８のＡ部のガイドレールと錠受けとの位置関係を示した説明図である。
【００１４】
すなわち、このシャッター装置１は、図１に示すように、シャッター枠２と、シャッター枠２の上部に設けられるシャッターボックス３１と、シャッター枠２に沿って昇降自在に設けられるシャッターカーテン３８と、シャッターカーテン３８を旋錠する旋錠手段４３とを備えている。
【００１５】
シャッターボックス３１は、図１に示すように、シャッター枠２の上枠３０の上部に設けられるものであって、上板３２と左右の側板３４と前板３５とから構成され、前板３５の下端と上枠３０の先端との間に、シャッターカーテン３８をシャッターボックス３１内から出し入れするための開口部３６が設けられている。シャッターボックス３１は、上板３２のフランジ板３３及び左右の側板３４のフランジ板の複数箇所をねじ６５により外壁６０に固定することにより外壁６０に固定される。シャッターボックス３１の前板３５は着脱自在に構成されている。
【００１６】
シャッターボックス３１の内部には、ドラム３７が回転自在に設けられ、このドラム３７にシャッターカーテン３８の上端部が連結され、ドラム３７を正逆回転させることにより、ドラム３７からシャッターカーテン３８が繰り出され、又はドラム３７にシャッターカーテン３８が巻き取られる。
【００１７】
シャッターカーテン３８は、図１及び図２に示すように、帯板状の複数のスラット３９を連結して構成したものであって、上端部のスラット３９がドラム３７に連結され、下端部のスラット３９の下端に土間面７０に当接する座板４１が一体に設けられ、幅方向の両縁部が両縦枠３、３の両ガイドレール１６、１６の内部に開口部２１、２１から挿入されている。
【００１８】
シャッターカーテン３８の座板４１の幅方向の両端部、すなわち、シャッターカーテン３８のガイドレール１６、１６内に挿入される幅方向の両縁部に対応する座板４１の部分は、図２に示すように切り落とされており、シャッターカーテン３８の昇降の際に座板４１がガイドレール１６、１６と干渉するのを防止している。
【００１９】
シャッター枠２は、図１、図２及び図８に示すように、左右一対の縦枠３、３と、両縦枠３、３の上端間に架設される上枠３０とからなる門形状をなすものであって、建物の外壁６０の開口部６１（図８参照）を３方向（上及び左右）から囲むように、開口部６１の縁部にねじ６５により固定されている。
【００２０】
各縦枠３は、図８に示すように、縦枠本体４と、縦枠本体４に一体に設けられるガイドレール取付け部１０と、ガイドレール取付け部１０にねじ６６により取り付けられるガイドレール１６とから構成され、ガイドレール１６によってシャッターカーテン３８が昇降自在に支持されている。
【００２１】
縦枠本体４は、図８に示すように、表板５と、裏板６と、表板５と裏板６の端部間に連結される一対の側板７、８とからなる中空板状をなすものであって、表板５の幅方向の一端部には、表板５から外方に突出するフランジ板９が一体に設けられ、このフランジ板９の複数箇所をねじ６５により外壁６０の開口部６１の縁部に固定することにより、縦枠本体４が外壁６０に表板５及び裏板６が外壁面と直交するように取り付けられている。
【００２２】
ガイドレール取付け部１０は、図８に示すように、表板１１と、裏板１２と、裏板１２の一方の端部から裏板１２と直交するように延出する側板１３と、表板１１と裏板１２の他方の端部間に連結される側板１４とから構成され、表板１１及び裏板１２が縦枠本体４の表板５及び裏板６と直交し、一方の側板１３が縦枠本体４の裏板６よりも内方に位置し、他方の側板１４が縦枠本体４の表板５と面一となるように、縦枠本体４の幅方向の端部に一体に設けられている。
【００２３】
ガイドレール取付け部１０の裏板１２は、図８中略左半部が縦枠本体４の一方の側板７と兼用されている。また、ガイドレール取付け部１０の表板１１の図８中右端部と他方の側板１４の図８中上端部との間にガイドレール１６を取り付けるための開口部１５が設けられている。
【００２４】
ガイドレール１６は、図８に示すように、表板１７と、裏板１８と、表板１７と裏板１８の一方の端部に形成されたモヘア保持部１９と、表板７と裏板１８の他方の端部間に連結される側板２０とからなり、表板１７と裏板１８の一方の端部間にシャッターカーテン３８の幅方向の縁部をガイドレール１６内に挿入させるための開口部２１が設けられている。
【００２５】
ガイドレール１６の裏板１８の外面側の略中央部には、裏板１８と直交するように延出する取付け板２３が一体に設けられるとともに、裏板１８の外面側の側板２０に近接する部分には、表板１１側に開口するように、取付け板２３と所定の間隔をおいて略Ｌ形状の係止爪２２が一体に設けられ、この係止爪２２をガイドレール取付け部１０の開口部１５に臨む表板１１の縁部に係止させ、取付け板２３を一方の側板１３の外面側に密着させ、取付け板２３をねじ６６により一方の側板１３に固定することにより、ガイドレール１６がガイドレール取付け部１０に取り付けられている。
【００２６】
ガイドレール１６の開口内部には、開口部２１寄りの表板１７の内面及び裏板１８の内面の部分に、第１係止板２５及び第２係止板２６が突出した状態で一体に設けられるとともに、第１係止板２５及び第２係止板２６よりも奥側の裏板１８の内面の部分に、第３係止板２７が突出した状態で一体に設けられ、これら第１係止板２５、第２係止板２６、及び第３係止板２７によって略区画される部分に後述する錠受け４５を上下方向に移動可能に支持する支持部２８が設けられている。
【００２７】
なお、何らかの負荷によってガイドレール１６の開口が開く方向（表板１７が見込み方向屋外側に、裏板１８が屋内側に曲がる方向）に変形しようとしても、第１係止板２５、第２係止板２６が錠受け４５の側板４６、４７の先端に係止されて変形が抑制される。
【００２８】
ガイドレール１６の裏板１８の長手方向の下端部には、図２及び図７に示すように、ガイドレール１６の長手方向に延びる長円形状の長孔２９が裏板１８の表裏面間を貫通した状態で設けられ、この長孔２９内を後述する錠受け４５をガイドレール１６に固定するための固定手段であるねじ６７が裏板１８の表面側から挿通可能に構成されている。
【００２９】
旋錠手段４３は、図２及び図７に示すように、ガイドレール１６側に設けられる錠受け４５と、シャッターカーテン３８側に設けられるとともに、錠受け４５に係止可能な錠５５とから構成されている。
【００３０】
錠受け４５は、図３〜図５に示すように、所定の間隔をおいて互いに平行に設けられる一方の側板４６及び他方の側板４７と、両側板４６、４７の一端間に一体に設けられる背板４９とからなる略コ形状をなすものであって、図８及び図９に示すように、一方の側板４６がガイドレール１６の表板１７側に位置し、他方の側板４７が裏板１８側に位置し、背板４９が他方の側板２０側に位置するように、ガイドレール１６の支持部２８内に上下方向に移動可能に設けられている。
【００３１】
この場合、図８及び図９に示すように、錠受け４５の一方の側板４６の先端面がガイドレール１６の第１係止板２５に当接し、他方の側板４７の先端面が第２係止板２６に当接し、背板４９が第３係止板２７に当接することにより、錠受け４５がガイドレール１６の支持部２８内に上下方向に移動可能に支持されている。
【００３２】
錠受け４５の一方の側板４６及び他方の側板４７の長手方向の中間部には、図３〜図５に示すように、それらの表裏面間を貫通するねじ孔４８がそれぞれ設けられ、このねじ孔４８内にガイドレール１６の裏板１８の長孔２９内を挿通させたねじ６７を螺合させて締め付けることにより、錠受け４５がガイドレール１６に固定される。ねじ６７の頭部は、長孔２９の幅よりも大径に形成されている。
【００３３】
錠受け４５は、一対のガイドレール１６、１６に対して同一形状のものが使用され、略コ形状の開口部が互いに対向するように、各ガイドレール１６に取り付けられる。すなわち、図８に示されているガイドレール１６に対しては、開口部が図８中右方向を向くように取り付けられ、反対側のガイドレール（図示せず）に対しては、開口部が図８中左方向を向くように取り付けられる。
【００３４】
この場合、錠受け４５の一方の側板４６及び他方の側板４７にはそれぞれねじ孔４８が設けられているので、図８に示されているガイドレール１６に対しては、そのガイドレール１６の裏板１８の長孔２９を挿通させたねじ６７を一方の側板４６のねじ孔４８に螺合させ、反対側のガイドレールに対しては、そのガイドレールの裏板の長孔を挿通させたねじを他方の側板４７のねじ孔４８に螺合させることになる。
【００３５】
各ガイドレール１６の裏板１８の長孔２９は、各ガイドレール１６に取り付けられる錠受け４５の一方の側板４６又は他方の側板４７によって閉塞されることになるので、光漏れを防ぐ等、見栄えをよくすることができる。
【００３６】
各ガイドレール１６の裏板１８の長孔２９は、土間面７０のレベル（仕上がり高さ位置）のばらつきを吸収できる長さに設定される。つまり、土間面７０のレベルに応じて座板４１の全閉位置が決まることによって、シャッターカーテン３８に設けた錠５５の高さ位置も決まる。そして、図１０〜図１２に示すように、その錠５５の高さ位置に合うようにして錠受け４５を上下方向に移動して位置決めする。
なお、錠受け４５の側板４６、４７は、ねじ孔４８から側板の上端および下端までの各寸法が、長孔２９の上下長さ以上の寸法を有して形成されている。従って、図１０〜図１２に示すように、錠受け４５をいずれの高さ位置に固定した場合でも、長孔２９は側板４６、４７によってガイドレール１６の裏板１２の屋外側面側から塞がれる。
【００３７】
錠受け４５の背板４９の下端には、図３〜図５に示すように、錠受け４５の開口部の方向に突出する当接部５１が一体に設けられ、この当接部５１の上面に後述するシャッターカーテン３８の下端部のスラット３９の下端部の当接部４０が当接可能に構成され、この当接部５１をシャッターカーテン３８の下端部の当接部４０に当接させることにより、シャッターカーテン３８の全閉位置に対応する位置に錠受け４５を位置決めすることができる。
【００３８】
シャッターカーテン３８は、前述したように、ガイドレール１６内に挿入される座板４１は、ガイドレール１６と干渉する部分が切り落とされており、シャッターカーテン３８の昇降の際に座板４１がガイドレール１６と干渉するのを防止している。
【００３９】
シャッターカーテン３８は、図６に示すように、全閉位置としたときに、下端部のスラット３９の幅方向の両端部がガイドレール１６内の錠受け４５の内部に挿入され、この状態で下端部のスラット３９の下端に設けられている座板４１の下面が土間面７０に当接する。
【００４０】
この場合、錠受け４５の内部に挿入されるスラット３９の下端部には、図２及び図６に示すように、当接部４０が設けられており、この当接部４０の下面が錠受け４５の当接部５１の上面に当接し、又は両当接部４０、５１が上下方向に所定の間隔をおいて対向する。
【００４１】
この場合、予め、ねじ６７をガイドレール１６の裏板１８の長孔２９を挿通させて錠受け４５のねじ孔４８に軽く螺合させ、ねじ６７の頭部を屋内側に表出させておくことにより、ねじ６７の頭部を手又はドライバ等の工具で操作（ねじ６７の頭部を手で掴んで操作、又はドライバ等の工具をねじ６７の頭部に係合させて操作）することにより、錠受け４５を上下方向に移動可能としておく。
【００４２】
そして、シャッターカーテン３８の座板４１を土間面７０に当接させた状態で、ねじ６７の頭部を操作して錠受け４５を上下方向に移動させ、錠受け４５の当接部５１の上面をシャッターカーテン３８のスラット３９の下端部の当接部４０の下面に当接させる。そして、この状態でねじ６７を錠受け４５のねじ孔４８に強固に螺合させて締め付けることにより、錠受け４５をガイドレール１６に固定することができ、錠受け４５をシャッターカーテン３８の全閉状態に対応する位置に位置決めすることができる。この場合、錠受け４５は、図１０〜図１２に示すように、長孔２９の長さの範囲内で上下方向の位置の調整が可能となっており、土間面７０のレベルのばらつきを長孔２９の長さの範囲内で吸収できる。
【００４３】
シャッターカーテン３８の下端部のスラット３９には、図１、図２及び図７に示すように、旋錠手段４３の錠５５が取り付けられ、この錠５５を作動させることにより、係止部材５６がシャッターカーテン３８から錠受け４５の方向に突出し、図７及び図８に示すように、錠受け４５の係止孔５０内に挿入される。係止部材５６としては、ラッチ、鎌状部材等の各種のものを使用することができる。
【００４４】
そして、錠受け４５をガイドレール１６にねじ６７により固定し、シャッターカーテン３８側の錠５５を作動させ、係止部材５６を錠受け４５の係止孔５０内に挿入させることにより、係止部材５６が係止孔５０内に係止され、シャッターカーテン３８が全閉状態に旋錠される。この場合、シャッターカーテン３８の下端部に設けられている座板４１の下面の両縁部には、図６に示すように、下方に突出する一対の突出部４２、４２が一体に設けられ、この突出部４２、４２が土間面７０に当接することにより、当接部４０下面と土間面７０との間に所定の隙間を形成することができる。
【００４５】
なお、土間面７０の仕上げ状態によっては、錠受け４５の当接部５１とシャッターカーテン３８の当接部４０とが既に当接していることもあり、その場合には、錠受け４５を上下方向に移動させずにそのままのガイドレール１６に固定すればよい。また、錠受け４５の当接部５１がシャッターカーテン３８の当接部４０よりも上方に位置している場合には、錠受け４５を下降させて錠受け４５の当接部５１をシャッターカーテン３８の当接部４０に当接させ、錠受け４５をガイドレール１６に固定すればよい。
【００４６】
上記のように構成した本実施の形態によるシャッター装置にあっては、錠受け４５をガイドレール１６に沿って上下方向に移動可能として、シャッターカーテン３８の全閉位置に対応した位置に錠受け４５を位置決めし、その位置においてシャッターカーテン３８側の錠５５の係止部材５６が錠受け４５側の係止孔５０内に係止されるように構成したので、土間面７０の仕上げ状態に関わらず、シャッターカーテン３８側の錠５５の係止部材５６を錠受け４５側の係止孔５０に確実に係止させることができる。
【００４７】
また、錠受け４５をガイドレール１６に固定するねじ６７は、頭部がガイドレール１６の裏板１８の屋内側面よりも屋内側に表出しているので、予め、ねじ６７をガイドレール１６の裏板１８の長孔２９を挿通させて錠受け４５のねじ孔４８に軽く螺合させておくことにより、ねじ６７の頭部を手やドライバ等の工具で操作することにより、錠受け４５を上下方向へ移動させることができるので、錠受け４５の上下方向の位置の調整が容易となる。
【００４８】
さらに、錠受け４５の当接部５１は、ガイドレール１６の内部の支持部２８内に設けられているので、当接部５１がガイドレール１６から露出するようなことはなく、見栄えをよくすることができるとともに、足等が錠受け４５に引っ掛かるようなことはなく、安全性を高めることもできる。
【００４９】
さらに、図４に示すように、錠受け４５の当接部５１の下面よりも側板４６、４７の下端が下方に突出している。また、図６に示すように、座板４１の当接部４０の下面よりも突出部４２、４２の下端が突出している。そして、錠受け４５の当接部５１の下面から側板４６、４７の下面までの寸法が、座板４１の当接部４０の下面から突出部４２、４２の下面までの寸法よりも大きくなっている。従って、土間面７０が水平に仕上がった場合において、シャッターカーテン３８を全閉する際に、座板４１の当接部４０が錠受け４５の当接部５１に当接してこの錠受け４５の当接部５１がストッパーとして働くため、座板４１の突出部４２、４２が土間面７０から浮いた状態となって、座板４１の下面（突出部４２、４２の下面）が傷つくことはない。
【００５０】
なお、前記実施の形態の説明では、縦枠本体４とガイドレール取付け部１０とを一体的に形成し、ガイドレール１６を別体構成として縦枠３としたが、これに限らず縦枠本体４とガイドレール取付け部１０とガイドレール１６とを一体的に形成して縦枠３としても構わない。
また、前記実施の形態の説明では、ガイドレール１６内で錠受け４５を上方向に移動させて錠受け４５の当接部５１の上面をシャッターカーテン３８のスラット３９の下端部の当接部４０の下面に当接させることによって、錠受け４５の上下方向の位置が決まるとしたが、これに限らず錠受け４５を下方向に移動させて錠受け４５の当接部５１の下面をシャッターカーテン３８のスラット３９に別途設けた当接部の上面に当接させることによって、錠受け４５の上下方向の位置を決めるようにしても構わない。
【図面の簡単な説明】
【００５１】
【図１】本発明によるシャッター装置の錠受け構造の一実施の形態を示した縦断面図であって、シャッター装置の要部縦断面図である。
【図２】シャッターカーテンの全閉状態を示す要部拡大正面図である。
【図３】図２の錠受けの側面図である。
【図４】図３の正面図である。
【図５】図３の底面図である。
【図６】図１のシャッター装置の下端部の部分拡大図である。
【図７】シャッターカーテンの旋錠状態を示す要部拡大正面図である。
【図８】シャッターカーテンの旋錠状態を示す要部拡大横断面図である。
【図９】図８のＡ部のガイドレールと錠受けとの位置関係を示した説明図である。
【図１０】錠受けの調整範囲を示した説明図である。
【図１１】錠受けの調整範囲を示した説明図である。
【図１２】錠受けの調整範囲を示した説明図である。
【符号の説明】
【００５２】
１    シャッター装置              ２    シャッター枠
３    縦枠                        ４    縦枠本体
５    表板                        ６    裏板
７    一方の側板                  ８    他方の側板
９    フランジ板                  １０  ガイドレール取付け部
１１  表板                        １２  裏板
１３  一方の側板                  １４  他方の側板
１５  切欠部                      １６  ガイドレール
１７  表板                        １８  裏板
１９  一方の側板                  ２０  他方の側板
２１  開口部                      ２２  係止爪
２３  取付け板                    ２５  第１係止板
２６  第２係止板                  ２７  第３係止板
２８  支持部                      ２９  長孔
３０  上枠                        ３１  シャッターボックス
３２  上板                        ３３  フランジ板
３４  側板                        ３５  前板
３６  開口部                      ３７  ドラム
３８  シャッターカーテン          ３９  スラット
４０  当接部                      ４１  座板
４２  突出部                      ４５  錠受け
４６  一方の側板                  ４７  他方の側板
４８  ねじ孔                      ４９  背板
５０  係止孔                      ５１  当接部
５５  錠                          ５６  係止部材
６０  外壁                        ６１  開口部
６５、６６、６７  ねじ            ７０  土間面
【図１】
0004429985.tif 000002
【図２】
0004429985.tif 000003
【図３】
0004429985.tif 000004
【図４】
0004429985.tif 000005
【図５】
0004429985.tif 000006
【図６】
0004429985.tif 000007
【図７】
0004429985.tif 000008
【図８】
0004429985.tif 000009
【図９】
0004429985.tif 000010
【図１０】
0004429985.tif 000011
【図１１】
0004429985.tif 000012
【図１２】
0004429985.tif 000013